(57)【要約】【課題】押し操作時間に拘らず、押し操作ごとに一定量の薬液を排出させる。【解決手段】先端に注出口１１ｄを有するノズル部材１１と、受け部材１４を介してノズル部材１１に内装する弾性材のスポンジ体１２と、スポンジ体１２上に位置させてノズル部材１１に内装する押し部材１３とを設ける。【選択図】図２
2008143587.tif 000002
【特許請求の範囲】
【請求項１】
薬液容器の口部に装着し、先端に注出口を有するノズル部材と、受け部材を介して前記ノズル部材に内装する弾性材のスポンジ体と、該スポンジ体上に位置させて前記ノズル部材に内装する押し部材とを備えてなり、該押し部材は、前記注出口を介して前記ノズル部材の先端に突出する突栓部を押し操作して前記スポンジ体を弾性収縮させることにより、前記スポンジ体の内部に保持する薬液を前記注出口から排出させることを特徴とする薬液容器の中栓。
【請求項２】
前記押し部材は、下端に外フランジを有する本体部と、該本体部上の窓付きの円筒部と、該円筒部上の前記突栓部とを一体成形することを特徴とする請求項１記載の薬液容器の中栓。
【請求項３】
前記突栓部は、軸方向の凹条を周面に形成することを特徴とする請求項１または請求項２記載の薬液容器の中栓。
【請求項４】
前記スポンジ体は、セル数２５〜４５個／２５mmのポリエーテル系軟質ウレタンフォームとすることを特徴とする請求項１ないし請求項３のいずれか記載の薬液容器の中栓。
【発明の詳細な説明】
【技術分野】
【０００１】
この発明は、たとえば水虫薬のように、患部に定量を排出して使用する薬液用に特に好適な薬液容器の中栓に関する。
【背景技術】
【０００２】
適量の薬液を患部に排出して塗布するために、専用の水虫薬用容器が知られている（特許文献１）。
【０００３】
このものは、薬液容器の口部にノズル部材を装着し、ばね付きの弁体をノズル部材に内装して構成されている。弁体は、ノズル部材の先端の注出口を開閉することができ、弁体と一体の突栓部は、注出口を介して外部に突出している。そこで、突栓部を患部に押し当て、ばねに抗して弁体をノズル部材の内側に押し込むと、注出口が開いて薬液が流出するから、そのまま全体を前後左右に移動させることにより、突栓部の先端を介して薬液を患部に塗布することができる。
【特許文献１】実公昭５９−３３４１２号公報
【発明の開示】
【発明が解決しようとする課題】
【０００４】
かかる従来技術によるときは、薬液は、弁体をノズル部材の内側に押し込んで流出口を開くと、注出口から連続的に流出してしまい、過大な量を無駄に消費しがちであるという問題があった。
【０００５】
そこで、この発明の目的は、かかる従来技術の問題に鑑み、薬液を含浸して保持し得るオープンセル構造のスポンジ体をノズル部材に組み込むことによって、押し操作時間に拘らず、押し操作ごとに実質的に一定量の薬液を排出することができる薬液容器の中栓を提供することにある。
【課題を解決するための手段】
【０００６】
かかる目的を達成するためのこの発明の構成は、薬液容器の口部に装着し、先端に注出口を有するノズル部材と、受け部材を介してノズル部材に内装する弾性材のスポンジ体と、スポンジ体上に位置させてノズル部材に内装する押し部材とを備えてなり、押し部材は、注出口を介してノズル部材の先端に突出する突栓部を押し操作してスポンジ体を弾性収縮させることにより、スポンジ体の内部に保持する薬液を注出口から排出させることをその要旨とする。
【０００７】
なお、押し部材は、下端に外フランジを有する本体部と、本体部上の窓付きの円筒部と、円筒部上の突栓部とを一体成形することができ、突栓部は、軸方向の凹条を周面に形成することができる。
【０００８】
また、スポンジ体は、セル数２５〜４５個／２５mmのポリエーテル系軟質ウレタンフォームとしてもよい。
【発明の効果】
【０００９】
かかる発明の構成によるときは、薬液容器の口部に装着するノズル部材には、押し部材、スポンジ体が上下に内装されており、押し部材の突栓部は、ノズル部材の先端の注出口を介して外部に突出している。そこで、突栓部を介して押し部材を押し操作すると、スポンジ体が弾性収縮し、スポンジ体に含浸されて保持されている薬液を注出口から排出させることができ、このようにして排出される薬液量は、押し部材の押し操作時間に拘らず、押し操作ごとに実質的に一定量に制御することができる。ただし、押し部材を押し操作するとき、スポンジ体には、薬液容器内の薬液が十分均一に含浸され、保持されているものとし、したがって、押し操作を繰り返すときは、押し操作ごとに、薬液をスポンジ体に均一に含浸させるために必要な適当な時間間隔を置くものとする。
【００１０】
なお、薬液を排出させる際、薬液容器を倒立させるものとし、押し部材に対する押し操作の押圧力を解除すると、スポンジ体が弾性復元して薬液がスポンジ体に含浸され、受け部材には、薬液をスポンジ体に速やかに均一に含浸させるために、必要十分な開口面積の透孔が形成されている。また、突栓部の先端は、患部に接触させながら薬液を塗り拡げるために、滑らかなドーム状に仕上げることが好ましい。
【００１１】
外フランジ付きの本体部、窓付きの円筒部、突栓部を有する押し部材は、突栓部を注出口に突出させ、外フランジをスポンジ体の上面に着地させるようにしてスポンジ体上に位置させ、ノズル部材に安定に内装することができる。なお、押し部材は、スポンジ体の弾性により常時上方の注出口側に付勢されており、突栓部、本体部の間のリング状の斜面を介し、注出口を閉じて位置決めされている。薬液容器を倒立させて押し部材を押し操作すると、スポンジ体が弾性収縮してスポンジ体の内部の薬液が放出されるが、放出された薬液は、中空の本体部の内側を経て、窓を通して円筒部の外側に流出し、突栓部の周面に沿うようにして流れ、注出口を介して外部に排出される。
【００１２】
突栓部の周面の凹条は、注出口の内面との間に薬液の流出路を形成し、薬液の排出を妨げることがない。なお、軸方向の凹条は、突栓部の周面に対して少なくとも３条以上を等間隔に設けることにより、薬液を塗り拡げる際に突栓部が不用意に傾くことを防止することができる。
【００１３】
スポンジ体は、オープンセル構造のポリエーテル系軟質ウレタンフォームであって、セル数２５〜４５個／２５mmのものが好ましい。ただし、ここでいうセル数とは、ＪＩＳ  Ｋ  ６４００−１付属書１による計測値をいう。セル数は、２５個未満、４５個超のいずれであっても、押し部材の押し操作ごとに排出される薬液量のばらつきが増大する傾向がある。なお、スポンジ体の材質は、薬液に対するぬれ性、耐薬品性に優れ、弾性変形後の復元性のよいものがよく、ポリエーテル系ウレタンフォーム以外であってもよい。
【発明を実施するための最良の形態】
【００１４】
以下、図面を以って発明の実施の形態を説明する。
【００１５】
薬液容器の中栓は、ノズル部材１１、スポンジ体１２、押し部材１３を主要部材としてなる（図１、図２）。
【００１６】
薬液容器２０は、口部２１を有する。口部２１の外周には、雄ねじ２２が形成されている。なお、薬液容器２０の胴部２３は、図示の縦長円筒状に限らず、他の任意の形状であってもよい。
【００１７】
ノズル部材１１は、薬液容器２０の口部２１に装着されている。ノズル部材１１は、中空円錐台形状のノズル部１１ａと、ノズル部１１ａの下端の外フランジ１１ｂと、外フランジ１１ｂの下面に垂設するスカート部１１ｃとを一体成形して構成されている。ノズル部材１１は、スカート部１１ｃを口部２１に圧入して口部２１に装着されている。外フランジ１１ｂの下面は、口部２１の上端面に当接しており、外フランジ１１ｂは、口部２１の上端の外径と同一外径に形成されている。また、ノズル部１１ａの先端面には、注出口１１ｄが開口されている。
【００１８】
弾性材のスポンジ体１２は、受け部材１４を介してノズル部材１１のスカート部１１ｃに内装されている。スポンジ体１２は、所定のセル数を有するオープンセル構造の耐薬品性のフォーム材であって、フリー状態において円柱状に形成されている（図２、図３）。
【００１９】
受け部材１４は、浅い有底円筒状に形成されている。受け部材１４は、ノズル部材１１のスカート部１１ｃの内面下部の大径部１１ｅに嵌合させるようにして組合せ可能である。受け部材１４の外周下部には、大径部１１ｅの下端の係合用の段部１１ｆに弾発的に嵌合可能な係合リブ１４ａが形成されており、底面１４ｂには、透孔１４ｃ、１４ｃ…が開口されている。そこで、受け部材１４は、スポンジ体１２を収納してスカート部１１ｃの下部に弾発的に装着することができる。なお、スポンジ体１２の外径は、受け部材１４の内径より小さく形成されており、受け部材１４の透孔１４ｃ、１４ｃ…は、スポンジ体１２によって塞がれるように、しかも十分大きな合計開口面積となるように配列形成されている。
【００２０】
押し部材１３は、ノズル部材１１の下側から軸方向に挿入可能な中空円錐台形状の本体部１３ａと、本体部１３ａ上に立設する円筒部１３ｂと、円筒部１３ｂ上に立設する中実の突栓部１３ｃとを一体成形して構成されている。本体部１３ａの下端には、外フランジ１３ｄが形成され、円筒部１３ｂには、縦長の窓１３ｅ、１３ｅ…が形成され、突栓部１３ｃの周面には、軸方向の凹条１３ｆ、１３ｆ…が形成されている（図３、図４）。なお、各凹条１３ｆは、頂角１２０°のＶ字状断面に形成されている。ただし、図４（Ａ）〜（Ｃ）は、それぞれ押し部材１３の上面図、一部破断正面図、下面図である。
【００２１】
本体部１３ａの内面上部は、円筒部１３ｂの外径と同一内径の直管状に切り上げられている。また、円筒部１３ｂは、窓１３ｅ、１３ｅ…の上端から上の突栓部１３ｃ側が中実に形成されている。円筒部１３ｂ、突栓部１３ｃの間には、細幅のリング状の斜面１３ｇが形成され、窓１３ｅ、１３ｅ…、凹条１３ｆ、１３ｆ…は、それぞれ円筒部１３ｂ、突栓部１３ｃの周面に対し、等間隔に配置されている。
【００２２】
押し部材１３は、スポンジ体１２、受け部材１４とともにノズル部材１１に内装すると、スポンジ体１２の弾性により上方に付勢され、ノズル部材１１の注出口１１ｄを介して突栓部１３ｃがノズル部材１１の先端に突出する（図２）。このとき、外フランジ１３ｄは、スポンジ体１２の上面に着地し、リング状の斜面１３ｇは、注出口１１ｄの下端に続くノズル部材１１の内面の斜面１１ｇに下から係合し、注出口１１ｄを閉じるとともに押し部材１３を軸方向に位置決めする。なお、注出口１１ｄを下から上に貫通する突栓部１３ｃは、凹条１３ｆ、１３ｆ…に対応する薬液の流出路Ｒ、Ｒ…を注出口１１ｄの内面に形成することができる（図５）。
【００２３】
薬液容器２０には、ねじ式のキャップ３０が付属している（図１）。キャップ３０の内面下部には、薬液容器２０側の雄ねじ２２に適合する雌ねじ３１が形成され、キャップ３０の外面には、滑り止め用のローレット３２、３２…が形成されている。なお、キャップ３０の内部には、上下のスカート３３、３４が垂設されており、雄ねじ２２、雌ねじ３１を介してキャップ３０を薬液容器２０の口部２１に装着すると、スカート３３、３４は、それぞれノズル部材１１の先端に外側から係合し、ノズル部材１１の外フランジ１１ｂを口部２１の上端面に押し付けることができる。
【００２４】
薬液容器２０内の薬液を排出して使用するときは、まず、キャップ３０を外して全体を倒立させ、ノズル部材１１の先端に突出する突栓部１３ｃを皮膚などの患部に押し付けて押し部材１３をノズル部材１１内に押し込むように押し操作する（図２の矢印方向）。そこで、押し部材１３は、押し操作されると軸方向に移動し、外フランジ１３ｄを介してスポンジ体１２を軸方向に弾性収縮させる（同図の二点鎖線）。一方、スポンジ体１２には、受け部材１４の透孔１４ｃ、１４ｃ…を介してあらかじめ薬液が均一に含浸されて保持されているから、スポンジ体１２が弾性収縮すると、スポンジ体１２内の薬液が押し部材１３内に放出され、窓１３ｅ、１３ｅ…を介して突栓部１３ｃ側に流下し、注出口１１ｄを介して外部に排出される。
【００２５】
ただし、注出口１１ｄは、押し部材１３側の斜面１３ｇがノズル部材１１側の斜面１１ｇから離れることにより開口され、突栓部１３ｃに沿って流下する薬液は、注出口１１ｄの内面に形成される流出路Ｒ、Ｒ…を介し、円滑に外部に排出することができる。そこで、突栓部１３ｃの先端を患部に接触させながら薬液容器２０を前後左右に移動させ、排出された薬液を患部に塗り拡げればよい。
【００２６】
押し部材１３の１回の押し操作ごとに排出される薬液量は、スポンジ体１２内に薬液が均一に保持されている限り、スポンジ体１２の弾性収縮量に依存し、押し操作時間の長短に拘らず、実質的に一定量に制御することができる。なお、押し操作を繰り返すときは、押し操作ごとに、スポンジ体１２に薬液を均一に含浸させるに要する時間間隔を置くものとする。
【００２７】
押し部材１３の押し操作ごとに排出される薬液量は、スポンジ体１２の材質や物性に影響される（たとえば図６）。ただし、図６の実施例１、２は、ポリエーテル系軟質ウレタンフォームであり、比較例１、２は、ポリエステル系軟質ウレタンフォームである。また、参考例は、特許文献１のように、スポンジ体１２を使用せず、ばねを内蔵する弁形式の中栓である。
【００２８】
実施例１、２、比較例１、２のスポンジ体１２は、いずれもフリー状態において外径１０mm、長さ１０mmとし、軸方向に４mmだけ弾性収縮させた。供試薬液として消毒用アルコールを使用し、押し操作の繰返し回数を１０回とし、押し操作ごとの時間間隔は、押し操作時間に拘らず、約１秒とした。各種の材質、物性のスポンジ体１２について、押し操作時間２秒、１０秒に対する押し操作ごとの平均排出薬液量μ2 、μ10、押し操作時間２秒に対する押し操作ごとの排出薬液量のばらつきσ2 を評価するスクリーニング実験の結果、スポンジ体１２は、押し操作時間の長短に拘らず、押し操作ごとに一定の薬液量を排出し、そのばらつきも小さくなる点で、セル数２５〜４５個／２５mmのポリエーテル系軟質ウレタンフォームが最も良好であった。
【００２９】
なお、この発明は、水虫薬に限らず、消炎鎮痛剤などにも適用可能である。
【図面の簡単な説明】
【００３０】
【図１】全体構成図
【図２】図１の要部拡大相当図
【図３】要部拡大分解斜視図
【図４】押し部材の構成説明図
【図５】図２の上面図
【図６】評価データを示す図表
【符号の説明】
【００３１】
１１…ノズル部材
１１ｄ…注出口
１２…スポンジ体
１３…押し部材
１３ａ…本体部
１３ｂ…円筒部
１３ｃ…突栓部
１３ｄ…外フランジ
１３ｅ…窓
１３ｆ…凹条
１４…受け部材
２０…薬液容器
２１…口部
特許出願人          伸晃化学株式会社
代理人  弁理士        松  田  忠  秋
【図１】
2008143587.tif 000003
【図２】
2008143587.tif 000004
【図３】
2008143587.tif 000005
【図４】
2008143587.tif 000006
【図５】
2008143587.tif 000007
【図６】
2008143587.tif 000008